(57)【要約】【課題】  テレビ等の画像情報、デザイン性を盛り込んだ色彩画像情報、ニュース等の文字情報を表示できるようにしたＬＥＤ表示機能付きアナログ時計を提供する。【解決手段】  外周部に時刻を示す数字表示部２を設け、内周部にＬＥＤによって情報を表示するＬＥＤ表示部３を配設し、ＬＥＤ表示部３にＬＥＤ表示部３を貫通する貫通孔４を開穿し、貫通孔４内に短針５の回転軸６と長針７の回転軸８とを同心上に配設したＬＥＤ表示機能付きアナログ時計１を提供する。【選択図】  図１
0003110248.tif 000002
【実用新案登録請求の範囲】
【請求項１】
外周部に時刻を示す数字表示部を設け、内周部にＬＥＤによって情報を表示するＬＥＤ表示部を配設し、該ＬＥＤ表示部に該ＬＥＤ表示部を貫通する貫通孔を開穿し、該貫通孔内に短針の回転軸と長針の回転軸とを同心上に配設したことを特徴とするＬＥＤ表示機能付きアナログ時計。
【請求項２】
上記ＬＥＤ表示部は上記数字表示部の内周略全面に及んで配設され、該ＬＥＤ表示部の略中心部に上記貫通孔が開穿されることを特徴とする請求項１記載のＬＥＤ表示機能付きアナログ時計。
【請求項３】
上記ＬＥＤ表示部は、文字情報を表示する文字情報表示部を含むことを特徴とする請求項１又は２記載のＬＥＤ表示機能付きアナログ時計。
【請求項４】
上記ＬＥＤ表示部は、テレビ受信器に接続され、テレビ番組を表示できるように構成されていることを特徴とする請求項１，２又は３記載のＬＥＤ表示機能付きアナログ時計。
【請求項５】
上記ＬＥＤ表示部は、外部情報機器に接続され、該外部情報機器から受信した情報を表示するように構成されていることを特徴とする請求項１，２，３又は４記載のＬＥＤ表示機能付きアナログ時計。
【請求項６】
上記外部情報機器は、コンピュータ、ビデオデッキ、ＤＶＤプレーヤー、ＤＶＤレコーダー、ＨＤＤレコーダー、ビデオカメラ、デジタルカメラ、ゲーム機器のうち、１又は２以上の機器を含むことを特徴とする請求項５記載のＬＥＤ表示機能付きアナログ時計。
【請求項７】
上記ＬＥＤ表示部は、制御部を介して、通信手段に接続され、該通信手段によって受信した情報を表示するように構成されていることを特徴とする請求項１，２，３，４，５又は６記載のＬＥＤ表示機能付きアナログ時計。
【請求項８】
上記通信手段によって受信する情報は、インターネット情報、デジタルテレビ文字情報、時刻情報、災害情報、ニュース、案内情報、広告情報のうち、１又は２以上の情報を含むことを特徴とする請求項７記載のＬＥＤ表示機能付きアナログ時計。
【請求項９】
上記ＬＥＤ表示部は、上記制御部を介して、記憶部に接続され、該記憶部に予め記憶された情報を表示できるように構成されていることを特徴とする請求項１，２，３，４，５，６，７又は８記載のＬＥＤ表示機能付きアナログ時計。
【請求項１０】
上記記憶部には、上記テレビ受信器、上記外部情報機器、又は、上記通信手段を介して受信した情報が記憶されることを特徴とする請求項９記載のＬＥＤ表示機能付きアナログ時計。
【請求項１１】
上記ＬＥＤ表示部は、上記記憶部、上記テレビ受信器、上記外部情報機器、又は、上記通信手段から伝送される情報に基づき、デザイン性を盛り込んだ色彩画像を表示できるように構成されていることを特徴とする請求項４，５，６，７，８，９又は１０記載のＬＥＤ表示機能付きアナログ時計。
【考案の詳細な説明】
【技術分野】
【０００１】
本考案は、ＬＥＤ（Light  Emitting  Diode  発光ダイオード)表示機能付きアナログ時計に関するものであり、特に、画像情報、文字情報を表示できるようにしたＬＥＤ表示機能付きアナログ時計に関するものである。
【背景技術】
【０００２】
此種従来のＬＥＤ表示機能付きアナログ時計として、例えば、特許文献１には、指針によるアナログ表示部と、デジタル表示部である液晶表示部と、周囲の物理量を検出するセンサとを備え、センサで検出された物理量を液晶表示部によって数値表示するように構成されたアナログ−デジタル表示電子腕時計が記載されている。
【０００３】
又、特許文献２には、時刻をアナログ表示するための時刻表示部と、文字情報を表示するための文字情報表示器とを備えた文字情報表示器付きアナログ表示時計が記載されている。
【０００４】
そして、前記文字情報表示器はアンテナに接続される携帯情報端末機から情報を受信するように構成されている。
【特許文献１】特開平９−３３６６９号公報
【特許文献２】特開２００１−２９６３７７号公報
【考案の開示】
【考案が解決しようとする課題】
【０００５】
前記特許文献１に記載のアナログ−デジタル表示電子腕時計は液晶表示部を備え、液晶表示部にセンサで検出された物理量を数値表示することができるものである。
【０００６】
然しながら、前記アナログ−デジタル表示電子腕時計は、センサで検出された物理量を数値表示するという限定された表示を行うものであり、それ以外の画像や、文字情報等を表示する機能を備えていないものである。
【０００７】
又、特許文献２に記載の文字情報表示器付きアナログ表示時計は、文字情報表示器を備え、携帯情報端末機から文字情報を受信するが、文字情報に限定され、それ以外の画像等を表示する機能を備えていないものである。
【０００８】
以上の現状に鑑み、本考案は、テレビ等の画像情報、デザイン性を盛り込んだ色彩画像情報、ニュース等の文字情報を表示できるようにしたＬＥＤ表示機能付きアナログ時計を提供することを目的とするものである。
【課題を解決するための手段】
【０００９】
上記の課題を解決すべく、本考案は以下の構成を提供する。
請求項１に係る考案は、外周部に時刻を示す数字表示部を設け、内周部にＬＥＤによって情報を表示するＬＥＤ表示部を配設し、該ＬＥＤ表示部に該ＬＥＤ表示部を貫通する貫通孔を開穿し、該貫通孔内に短針の回転軸と長針の回転軸とを同心上に配設したことを特徴とするＬＥＤ表示機能付きアナログ時計を提供するものである。
【００１０】
請求項２に係る考案は、上記ＬＥＤ表示部は上記数字表示部の内周略全面に及んで配設され、該ＬＥＤ表示部の略中心部に上記貫通孔が開穿されることを特徴とする請求項１記載のＬＥＤ表示機能付きアナログ時計を提供するものである。
【００１１】
請求項３に係る考案は、上記ＬＥＤ表示部は、文字情報を表示する文字情報表示部を含むことを特徴とする請求項１又は２記載のＬＥＤ表示機能付きアナログ時計を提供するものである。
【００１２】
請求項４に係る考案は、上記ＬＥＤ表示部は、テレビ受信器に接続され、テレビ番組を表示できるように構成されていることを特徴とする請求項１，２又は３記載のＬＥＤ表示機能付きアナログ時計を提供するものである。
【００１３】
請求項５に係る考案は、上記ＬＥＤ表示部は、外部情報機器に接続され、該外部情報機器から受信した情報を表示するように構成されていることを特徴とする請求項１，２，３又は４記載のＬＥＤ表示機能付きアナログ時計を提供するものである。
【００１４】
請求項６に係る考案は、上記外部情報機器は、コンピュータ、ビデオデッキ、ＤＶＤプレーヤー、ＤＶＤレコーダー、ＨＤＤレコーダー、ビデオカメラ、デジタルカメラ、ゲーム機器のうち、１又は２以上の機器を含むことを特徴とする請求項５記載のＬＥＤ表示機能付きアナログ時計を提供するものである。
【００１５】
請求項７に係る考案は、上記ＬＥＤ表示部は、制御部を介して、通信手段に接続され、該通信手段によって受信した情報を表示するように構成されていることを特徴とする請求項１，２，３，４，５又は６記載のＬＥＤ表示機能付きアナログ時計を提供するものである。
【００１６】
請求項８に係る考案は、上記通信手段によって受信する情報は、インターネット情報、デジタルテレビ文字情報、時刻情報、災害情報、ニュース、案内情報、広告情報のうち、１又は２以上の情報を含むことを特徴とする請求項７記載のＬＥＤ表示機能付きアナログ時計を提供するものである。
【００１７】
請求項９に係る考案は、上記ＬＥＤ表示部は、上記制御部を介して、記憶部に接続され、該記憶部に予め記憶された情報を表示できるように構成されていることを特徴とする請求項１，２，３，４，５，６，７又は８記載のＬＥＤ表示機能付きアナログ時計を提供するものである。
【００１８】
請求項１０に係る考案は、上記記憶部には、上記テレビ受信器、上記外部情報機器、又は、上記通信手段を介して受信した情報が記憶されることを特徴とする請求項９記載のＬＥＤ表示機能付きアナログ時計を提供するものである。
【００１９】
請求項１１に係る考案は、上記ＬＥＤ表示部は、上記記憶部、上記テレビ受信器、上記外部情報機器、又は、上記通信手段から伝送される情報に基づき、デザイン性を盛り込んだ色彩画像を表示できるように構成されていることを特徴とする請求項４，５，６，７，８，９又は１０記載のＬＥＤ表示機能付きアナログ時計を提供するものである。
【考案の効果】
【００２０】
本考案の請求項１記載の考案によれば、外周部に時刻を示す数字表示部を設け、内周部にＬＥＤによって情報を表示するＬＥＤ表示部を配設し、該ＬＥＤ表示部に該ＬＥＤ表示部を貫通する貫通孔を開穿し、該貫通孔内に短針の回転軸と長針の回転軸とを同心上に配設したＬＥＤ表示機能付きアナログ時計を提供するものであるので、前記短針と長針と数字表示部とによって、アナログ時計表示を行えると共に、前記ＬＥＤ表示部によって、ＬＥＤによる表示が可能となる。
【００２１】
請求項２記載の考案によれば、上記ＬＥＤ表示部は上記数字表示部の内周略全面に及んで配設され、該ＬＥＤ表示部の略中心部に上記貫通孔が開穿されるので、請求項１記載の考案の効果に加え、前記ＬＥＤ表示部は貫通孔部分を除く、数字表示部の内周略全面に及んで配設されるため、比較的広い表示面を確保できる。
【００２２】
請求項３記載の考案によれば、上記ＬＥＤ表示部は、文字情報を表示する文字情報表示部を含むので、請求項１又は２記載の考案の効果に加え、文字情報表示部によって、文字情報による種々の情報を表示できる。
【００２３】
請求項４記載の考案によれば、上記ＬＥＤ表示部は、テレビ受信器に接続され、テレビ番組を表示できるように構成されているので、請求項１，２又は３記載の考案の効果に加え、前記ＬＥＤ表示部でテレビを鑑賞することができる。
【００２４】
請求項５記載の考案によれば、上記ＬＥＤ表示部は、外部情報機器に接続され、該外部情報機器から受信した情報を表示するように構成されているので、請求項１，２，３又は４記載の考案の効果に加え、前記外部情報機器から種々の情報を受信して、ＬＥＤ表示部に表示できる。
【００２５】
請求項６記載の考案によれば、上記外部情報機器は、コンピュータ、ビデオデッキ、ＤＶＤプレーヤー、ＤＶＤレコーダー、ＨＤＤレコーダー、ビデオカメラ、デジタルカメラ、ゲーム機器のうち、１又は２以上の機器を含むので、請求項５記載の考案の効果に加え、ＬＥＤ表示部は、コンピュータ、ビデオデッキ、ＤＶＤプレーヤー、ＤＶＤレコーダー、ＨＤＤレコーダー、ビデオカメラ、デジタルカメラ、ゲーム機器から情報を受信して情報を表示できる。
【００２６】
請求項７記載の考案によれば、上記ＬＥＤ表示部は、制御部を介して、通信手段に接続され、該通信手段によって受信した情報を表示するように構成されているので、請求項１，２，３，４，５又は６記載の考案の効果に加え、前記通信手段によって受信する種々の情報をＬＥＤ表示部によって表示できる。
【００２７】
請求項８記載の考案によれば、上記通信手段によって受信する情報は、インターネット情報、デジタルテレビ文字情報、時刻情報、災害情報、ニュース、案内情報、広告情報のうち、１又は２以上の情報を含むので、請求項７記載の考案の効果に加え、インターネット情報、デジタルテレビ文字情報、時刻情報、災害情報、ニュース、案内情報、広告情報等の種々の情報をＬＥＤ表示部によって表示できる。
【００２８】
請求項９記載の考案によれば、上記ＬＥＤ表示部は、上記制御部を介して、記憶部に接続され、該記憶部に予め記憶された情報を表示できるように構成されているので、請求項１，２，３，４，５，６，７又は８記載の考案の効果に加え、
記憶部に記憶された情報を容易に表示できる。
【００２９】
請求項１０記載の考案によれば、上記記憶部には、上記テレビ受信器、上記外部情報機器、又は、上記通信手段を介して受信した情報が記憶されるので、請求項９記載の考案の効果に加え、記憶部に記憶されるこれらの情報をＬＥＤ表示部に表示できる。
【００３０】
請求項１１記載の考案によれば、上記ＬＥＤ表示部は、上記記憶部、上記テレビ受信器、上記外部情報機器、又は、上記通信手段から伝送される情報に基づき、デザイン性を盛り込んだ色彩画像を表示できるように構成されているので、請求項４，５，６，７，８，９又は１０記載の考案の効果に加え、時計のデザインの向上を図ることが可能になると共に、色彩画像を鑑賞するもことができる。
【考案を実施するための最良の形態】
【００３１】
以下、実施例を示した図面を参照しつつ本考案の実施の形態を説明する。
図１に於いて、１は四角形状に形成されたＬＥＤ表示機能付きアナログ時計であり、該ＬＥＤ表示機能付きアナログ時計１は、外周部に時刻を示す数字表示部２を設け、内周部に、数字表示部２の内周略全面に及んで、複数個のＬＥＤによって静止画、動画等の情報をフルカラー表示、或いは、単色表示するＬＥＤ表示部３を配設し、ＬＥＤ表示部３の略中心部にＬＥＤ表示部３を貫通する貫通孔４を開穿し、貫通孔４内に短針５の回転軸６と長針７の回転軸８とを同心上に配設したものである。
【００３２】
そして、前記ＬＥＤ表示部３には、文字情報９を表示する帯状の文字情報表示部１０が含まれている。尚、帯状の文字情報表示部１０は表示せず、文字情報９のみ表示しても良い。
【００３３】
或いは、文字情報９を表示する時は、ＬＥＤ表示部３全体を文字情報表示部１０として表示することにより、文字情報９を見易くしたり、或いは、文字情報９の文字数を増やしたり、文字の大きさを大きくすることも可能である。
【００３４】
尚、前記ＬＥＤ表示部３は数字表示部２の内周略全面に及んで配設されるが、これに代えて、数字表示部２の内周内の一部に配設されても良い。
【００３５】
又、前記貫通孔４はＬＥＤ表示部３の略中心部に開穿されるが、これに代えて、ＬＥＤ表示部３の任意の箇所に開穿されても良い。
【００３６】
図２は、前記ＬＥＤ表示部３の配線図を示し、ＬＥＤ表示部３は制御部１１を介してテレビ受信器１２、外部情報機器１３、通信手段１４、及び／又は、記憶部１５に接続されている。尚、機器によっては制御部１１を介することなく、ＬＥＤ表示部３に直結することも可能である。
【００３７】
テレビ受信器１２はＵＨＦ、ＶＨＦ、衛星放送、デジタルテレビ放送等を受信して映像をＬＥＤ表示部３に送信することができる。
【００３８】
外部情報機器１３は、例えば、コンピュータ１６、ビデオデッキ１７、ＤＶＤプレーヤー１８、ＤＶＤレコーダー１９、ＨＤＤレコーダー２０、ビデオカメラ２１、デジタルカメラ２２、ゲーム機器２３等があり、それらのうち、１又は２以上の機器が含まれる。そして、それらの外部情報機器１３からの情報出力が制御部１１を介してＬＥＤ表示部３に送信される。
【００３９】
又、前記通信手段１４によって外部情報３１を受信するが、外部情報３１としては、例えば、インターネット情報３２、デジタルテレビ文字情報３３、時刻情報３４、災害情報３５、ニュース３６、案内情報３７、広告情報３８等があり、それらのうち、１又は２以上の情報が含まれる。そして、それらの外部情報３１は外部情報１３に対応する適宜の受信方法によって通信手段１４で受信され、通信手段１４から制御部１１を介してＬＥＤ表示部３に送信される。
【００４０】
更に、前記記憶部１５には、予め情報が記憶されており、或いは、前記テレビ受信器１２、外部情報機器１３、又は、通信手段１４を介して受信した情報が制御部１１を介して記憶されており、記憶部１５に記憶された情報は、制御部１１の制御によって適宜ＬＥＤ表示部３に送信される。
尚、図示は省略するが、前記ＬＥＤ表示部３にスピーカーを具備することも可能である。
【００４１】
而して、前記ＬＥＤ表示部３は、テレビ受信器１２が受信するテレビ映像、外部情報機器１３から受信した情報、通信手段１４によって受信した情報、又は、記憶部１５から出力される情報を制御部１１を介してフルカラー表示、又は、単色表示によってＬＥＤ表示できる。
【００４２】
斯くして、前記ＬＥＤ表示機能付きアナログ時計１は、前記短針５と長針７と数字表示部２とによって、アナログ時計表示を行えると共に、前記ＬＥＤ表示部３によって、ＬＥＤによる表示が可能となる。
【００４３】
又、前記ＬＥＤ表示部３は数字表示部２の内周略全面に及んで配設され、ＬＥＤ表示部３の略中心部に貫通孔４が開穿されるので、ＬＥＤ表示部３は貫通孔４部分を除く、数字表示部２の内周略全面に及んで配設されるため、比較的広い表示面を確保できる。
【００４４】
更に、前記ＬＥＤ表示部３は、文字情報９を表示する文字情報表示部１０を含むので、文字情報表示部１０によって、文字情報９による種々の情報を表示できる。
【００４５】
更に又、前記ＬＥＤ表示部３は、テレビ受信器１２に接続されているので、テレビ番組を表示できる。
【００４６】
そして、前記ＬＥＤ表示部３は、外部情報機器１３に接続され、外部情報機器１３から受信した情報を表示するように構成されているので、外部情報機器１３から種々の情報を受信して情報を表示できる。
【００４７】
即ち、前記外部情報機器１３は、コンピュータ１６、ビデオデッキ１７、ＤＶＤプレーヤー１８、ＤＶＤレコーダー１９、ＨＤＤレコーダー２０、ビデオカメラ２１、デジタルカメラ２２、ゲーム機器２３のうち、１又は２以上の機器を含むので、前記ＬＥＤ表示部３は、これらの機器から受信した情報を表示できる。
【００４８】
更に、前記ＬＥＤ表示部３は、制御部１１を介して、通信手段１４に接続されているので、通信手段１４によって受信した情報を表示できる。
【００４９】
そして、前記通信手段１４によって受信する情報は、インターネット情報３２、デジタルテレビ文字情報３３、時刻情報３４、災害情報３５、ニュース３６、案内情報３７、広告情報３８のうち、１又は２以上の情報を含むので、これらの情報をＬＥＤ表示部３によって表示できる。
【００５０】
又、前記ＬＥＤ表示部は、制御部１１を介して、記憶部１５に接続されているので、記憶部１５に予め記憶された情報を表示できる。
【００５１】
更に、前記記憶部１５には、テレビ受信器１２、外部情報機器１３、又は、通信手段１４を介して受信した情報が記憶されるので、記憶部１５に記憶されたこれらの情報をＬＥＤ表示部３によって表示できる。
【００５２】
図３に於いて、４１は前記四角形のＬＥＤ表示機能付きアナログ時計（図１に於いて１）の変形例である丸形状のＬＥＤ表示機能付きアナログ時計であり、この丸形状のＬＥＤ表示機能付きアナログ時計４１は前記ＬＥＤ表示機能付きアナログ時計（図１に於いて１）と同様の機能を有するが、ＬＥＤ表示部４２が丸形となるため、前記ＬＥＤ表示機能付きアナログ時計（図１に於いて１）の四角形のＬＥＤ表示部（図１に於いて３）に比較して、画像が全部表示されない、或いは、画像が比較的小さく表示される等の表示上の制限が発生する。尚、このＬＥＤ表示機能付きアナログ時計４１に於いても文字情報表示部４３及び文字情報９が表示される。
【００５３】
図４は、前記丸形状のＬＥＤ表示機能付きアナログ時計４１の表示方法を代えたものであり、前記文字情報表示部（図３に於いて４３）及び文字情報（図３において９）を表示していないものである。即ち、文字情報表示部（図３に於いて４３）は、必要な時に自動的に表示するか、或いは、手動切替によって表示しないようにするように構成することができる。或いは、文字情報表示部をまったく表示しないＬＥＤ表示機能付きアナログ時計を別途作ることも可能である。
【００５４】
図５は、前記ＬＥＤ表示機能付きアナログ時計１の表示を代えたものであり、前記ＬＥＤ表示部３にデザイン性を盛り込んだ異なる色の帯状の模様を表示して色彩演出を図ったものである。このように、デザイン性を盛り込んだ色彩画像情報によって色彩演出をすることも可能であり、更に、このような表示を一定時間おきに変化させて演出に変化をもたせても良い。これによって、時計のデザインの向上を図ることができると共に、色彩画像情報を鑑賞することも可能になる。
【００５５】
尚、前記色彩画像情報は、好適には、前記記憶部１５から伝送されるが、テレビ受信器１２、外部情報機器１３、又は、通信手段１４から伝送されても良い。
【００５６】
又、前記ＬＥＤ表示機能付きアナログ時計１，４１は、前述した効果を奏するため、種々の用途に用いることができるが、特に、例えば、病院の待合室、ホテルのロビー等の壁、柱等に設置して用いれば、待合室、ロビーにいる人が、ＬＥＤ表示部３，４２の画像情報、色彩画像情報を見たり、鑑賞して時間を過ごすことができ、又、文字情報９で種々の情報を知ることができる等、その効果は極めて高いものである。
【図面の簡単な説明】
【００５７】
【図１】（ａ）本考案によるＬＥＤ表示機能付きアナログ時計の正面図である。（ｂ）本考案によるＬＥＤ表示機能付きアナログ時計の一部側面断面図である。
【図２】本考案によるＬＥＤ表示機能付きアナログ時計のＬＥＤ表示部の概略配線図である。
【図３】本考案による他のＬＥＤ表示機能付きアナログ時計の正面図である。
【図４】図３に示すＬＥＤ表示機能付きアナログ時計の他の表示状態を示す正面図である。
【図５】図１に示すＬＥＤ表示機能付きアナログ時計の他の表示状態を示す正面図である。
【符号の説明】
【００５８】
１，４１  ＬＥＤ表示機能付きアナログ時計
２  数字表示部
３，４２  ＬＥＤ表示部
４  貫通孔
５  短針
６  回転軸
７  長針
８  回転軸
９  文字情報
１０，４３  文字情報表示部
１１  制御部
１２  テレビ受信器
１３  外部情報機器
１４  通信手段
１５  記憶部
１６  コンピュータ
１７  ビデオデッキ
１８  ＤＶＤプレーヤー
１９  ＤＶＤレコーダー
２０  ＨＤＤレコーダー
２１  ビデオカメラ
２２  デジタルカメラ
２３  ゲーム機器
３２  インターネット情報
３３  デジタルテレビ文字情報
３４  時刻情報
３５  災害情報
３６  ニュース
３７  案内情報
３８  広告情報
【図１】
0003110248.tif 000003
【図２】
0003110248.tif 000004
【図３】
0003110248.tif 000005
【図４】
0003110248.tif 000006
【図５】
0003110248.tif 000007